(57)【特許請求の範囲】
【請求項１】
第１および第２の受信機を有する移動通信装置を使用する方法であって、前記方法は、
前記第１および第２の受信機をスリープ・モードとするステップと、
第１の受信機を目覚めさせるステップと、
前記第１の受信機により制御チャネル上の信号を表わす電磁波を受信するステップと、
第１の受信機により受信された前記電磁波の信号品質を測定して第１の信号品質指標を求めるステップと、
前記第１の受信機により受信された電磁波の第１の信号品質指標が予め定められた信号品質基準を満たさない場合には、第２の受信機を目覚めさせて第２の受信機により制御チャネル上の電磁波を受信するステップと、
前記第２の受信機により受信された電磁波の信号品質を測定して第２の信号品質指標を求めるステップと、
第２の受信機により受信された電磁波の第２の信号品質指標が前記予め定められた信号品質基準を満たさない場合には、前記第１および第２の両方の受信機を使用して制御チャネル上の電磁波を受信するステップと、
前記第１の受信機により受信された電磁波に対応する信号と、前記第２の受信機により受信された電磁波に対応する信号を、ダイバーシチ合成技術を使用して合成するステップと
を含み、
前記第１の受信機により受信された電磁波に対応する信号と、前記第２の受信機により受信された電磁波に対応する信号を、ダイバーシチ合成技術を使用して合成するステップは、前記第１の信号品質指標および前記第２の信号品質指標が前記予め定められた信号品質基準を満たさない場合に複数のダイバーシチ合成技術を使用する方法。
【請求項２】
請求項１記載の方法であって、さらに、前記第２の受信機により受信された電磁波の信号品質を測定して第２の信号品質指標を求め、第２の受信機により受信された電磁波の第２の信号品質指標が前記予め定められた信号品質基準を満たす場合には、第１の受信機を前記スリープ・モードとするステップを含む方法。
【請求項３】
請求項１記載の方法であって、前記ダイバーシチ合成技術は、同一利得合成（ＥＧＣ）を含む方法。
【請求項４】
請求項１記載の方法であって、前記ダイバーシチ合成技術は、最大比合成（ＭＲＣ）を含む方法。
【請求項５】
請求項１記載の方法であって、前記ダイバーシチ合成技術は、干渉拒絶合成（ＩＲＣ）を含む方法。
【請求項６】
請求項１記載の方法であって、さらに、第１および第２の品質指標の少なくとも一方が前記予め定められた信号品質基準を少なくとも満たす場合に複数のダイバーシチ合成技術を使用して消費電力を低減するステップを含む方法。
【請求項７】
請求項１記載の方法であって、前記信号は、制御情報を含み、さらに前記制御情報を受信した後で前記第１および第２の受信機を前記スリープ・モードに戻すステップを含む方法。
【請求項８】
一次受信機および二次受信機を有する移動通信装置の電力保持方法であって、前記方法は、
前記一次および二次受信機の両方を目覚めさせるステップと、
前記移動通信装置を二重受信機ダイバーシチ・モードで作動させ、前記一次および二次受信機の両方を使用して制御チャネルを有する電磁波を受信するステップと、
前記一次および二次受信機の一方により受信された前記電磁波の前記制御チャネルの信号品質を表わす第１の信号品質指標が予め定められた信号品質基準を満たす場合には、前記一次および二次受信機の他方を非活性化して単一受信機モードで作動するステップと、
制御チャネルを処理するステップと、
制御チャネルの処理が完了した後で前記移動通信装置をスリープ・モードに戻すステップと、
前記一次および二次受信機の両方で制御チャネルを受信するステップと、
前記一次および二次受信機の一方により受信された前記電磁波の前記制御チャネルを表わす前記第１の信号品質指標と、前記一次および二次受信機の他方により受信された前記電磁波の前記制御チャネルの第２の信号品質指標が前記予め定められた信号品質基準を満たさない場合には、前記二重受信機ダイバーシチ・モードで作動するステップと、
前記第１の受信機により受信された前記電磁波に対応する前記制御チャネルと、前記第２の受信機により受信された前記電磁波に対応する前記制御チャネルを、ダイバーシチ合成技術を使用して合成するステップと
を含み、
前記第１の受信機により受信された前記電磁波に対応する前記制御チャネルと、前記第２の受信機により受信された前記電磁波に対応する前記制御チャネルを、ダイバーシチ合成技術を使用して合成するステップは、前記第１の信号品質指標および前記第２の信号品質指標が前記予め定められた信号品質基準を満たさない場合に複数のダイバーシチ合成技術を使用するステップを含む方法。
【請求項９】
請求項８記載の方法であって、前記ダイバーシチ合成技術は、同一利得合成（ＥＧＣ）を含む方法。
【請求項１０】
請求項８記載の方法であって、前記ダイバーシチ合成技術は、最大比合成（ＭＲＣ）を含む方法。
【請求項１１】
請求項８記載の方法であって、前記ダイバーシチ合成技術は、干渉拒絶合成（ＩＲＣ）を含む方法。
【請求項１２】
請求項８記載の方法であって、さらに、前記一次および二次受信機の指定を変えるステップを含む方法。
【請求項１３】
移動端末であって、
基地局から送信された信号を受信して受信信号を出力する第１および第２の受信機と、
前記受信信号の品質を示すパラメータに基づいて前記第１および第２の受信機を選択的に眠らせたり目覚めさせたりし、前記第１および第２の受信機により出力された前記受信信号の前記パラメータが予め定められた信号品質基準よりも低い場合には、前記第１および第２の両方の受信機を目覚めさせる制御論理と、
前記第１および第２の受信機により出力された前記信号を、ダイバーシチ合成技術を使用して合成するベースバンド部分と
を含み、
前記ベースバンド部分は、複数の合成技術の中の１つの技術を使用して前記信号を合成し、
前記制御論理は、許容可能な信号品質を提供可能であり、かつ電力消費が最も少ない合成技術が使用されるように、受信信号品質に基づいて前記複数の合成技術の中の１つの技術を選択する移動端末。
【請求項１４】
請求項１３記載の移動端末であって、前記制御論理は、前記第１の受信機により出力された前記受信信号の前記パラメータが予め定められた信号品質基準を満たす場合に前記第２の受信機を眠らせる移動端末。
【請求項１５】
請求項１３記載の移動端末であって、前記制御論理は、前記第２の受信機により出力された前記受信信号の前記パラメータが予め定められた信号品質基準を満たす場合に前記第１の受信機を眠らせる移動端末。
【請求項１６】
請求項１３記載の移動端末であって、前記ベースバンド部分は、最大比合成（ＭＲＣ）技術を使用して前記信号を合成する移動端末。
【請求項１７】
請求項１３記載の移動端末であって、前記ベースバンド部分は、同一利得合成（ＥＧＣ）技術を使用して前記信号を合成する移動端末。
【発明の詳細な説明】
【０００１】
(発明の背景)
本発明は、アナログおよびデジタル・ベース・セルラ通信システムで使用する移動通信装置に関し、特に、ダイバーシチ受信を改善するために２台の受信機を使用する移動通信装置における電力保持方法に関する。
【０００２】
移動通信装置、すなわち端末は、現代の社会において至る所に存在するものとなってきている。典型的な移動通信装置にはページャ、個人デジタル援助（ＰＤＡ）、移動電話機等が含まれるが、このような全ての装置がここでは移動端末と呼ばれる。消費者の１つの主要な関心事は、移動端末のサイズおよび重量に向けられている。多くの人は、ページャと移動電話機等の２台以上の移動通信装置を携行している。移動端末を携行しなければならない場合、それはできるだけ小型で邪魔にならないことを望む。その結果、移動端末およびその内部部品を縮小する傾向が高まりつつある。
【０００３】
第２の関心事は、移動端末のバッテリ容量、特に、再充電することが必要となる前にバッテリが提供する動作時間に関して存在する。しかしながら、この関心事は、移動端末を小型化する要望に直接相反するものである。バッテリは、移動端末で利用できる非常に多くの機能に給電し、それらの動作にとって決定的なものである。バッテリのサイズおよび重量は、改善されてきているが、移動端末をより小型軽量にしようとする傾向のため、縮小された移動端末に適合しながら再充電の所望の長い間隔にわたる所要電力を供給するバッテリを作り出すバッテリ設計者の能力をしばしば超越する。
【０００４】
したがって、移動端末のメーカは、移動端末のエネルギを保持する方法を改良することが益々避けられなくなってきている。バッテリ電力を保持する１つの方法は、移動端末を「スリープ・モード」とすることである。スリープ・モード中に、移動端末は、有効に着信通信を待機するスタンバイ・モードとされる。スリープ期間中に、移動端末の受信機は、給電されずバッテリの消耗は、より少ない。移動端末の低電力タイマが受信機を周期的に「目覚めさせ」、関連する基地局からの制御チャネルを処理して移動端末に対する着信メッセージがあるかどうかを確認する。なければ、移動端末は、スリープ・モードに戻る。あれば、移動端末は、目覚めたままとされ関連する基地局からの制御チャネルの命令に従って着信メッセージを処理する。
【０００５】
スリープ・モードは、周期的に目覚めてを制御チャネルをチェックすることを前提とする点において移動端末の単なる給電停止とは異なる。それに対して、ターン・オフは、再給電を考慮してはいるが、周期的にアクティブ状態に戻って制御チャネルをチェックすることを前提とはしない。スリーピング技術の２つの例が米国特許第5,224,152号明細書および第5,568,513号明細書に記載されており、それらは本開示の一部として、ここに組入れられている。
【０００６】
第３の関心事は、受信品質である。信号の無線伝送において生じる共通問題は、マルチパス・フェージングおよび干渉の結果、信号がしばしば消失したり歪んでしまうことである。干渉およびマルチパス・フェージングを低減する１つの既知の方法は、複数のアンテナ、より好ましくは複数の受信機を使用することである。すなわち、移動端末は、２つの受信機回路を含み、それらは干渉キャンセルその他、既知の性能向上技術を使用して一緒に利用され、音声呼の場合にはユーザに対してクリアなオーディオ信号を提供し、データ呼の場合には改善されたデータ・スループットを提供する。この２台受信機方法もサイズ低減とバッテリ保持の両方が直接の問題となっている。付加回路によりバッテリ消費が増加され、再充電の頻度が増す。
【０００７】
前記したことを考えると、移動通信産業において改善された電力保持並びに２台受信機ダイバーシチの利点を有する移動通信装置を提供することが必要とされている。
【０００８】
（発明の概要）
本発明は、少なくとも２台の受信機並びにメモリを有する移動通信装置を提供することにより、この必要性を満たすものである。移動通信装置の消費電力は、受信の所望品質を保証し、関連する基地局からのメッセージに対する制御チャネルをチェックし、着信通信を処理する必要性に応じて受信機を選択的に目覚めさせ又は眠らせることにより制御される。移動通信装置の受信機の性能を改善するために複数のダイバーシチ結合技術が使用される。受信機の性能は、キャリア対干渉比（Ｃ/Ｉ），ビットレート比（ＢＥＲ），フレーム消去レート（ＦＥＲ），受信信号強度表示器（ＲＳＳＩ），ソフト情報信頼度、音声品質または関連する性能評価尺度またはこれらの性能評価尺度の組合せを使用して評価される。
【０００９】
好ましい実施例では、周期的目覚し期間中に、移動通信装置は、個別の受信機をチェックして両方の受信機並びに複数のダイバーシチ結合技術の中の１つの技術に頼る前に適切な受信を提供することができるかどうかを調べる。この装置は、所望する受信品質が達成されるまで所要消費電力の順でダイバーシチ結合技術を増す。逆に、受信が適切であれば、装置は、周期的目覚し期間中により低レベルの消費電力が可能であるかどうかをチェックして調べる。それはダイバーシチ結合技術を減すか、すなわち単一受信機にスケールバックできるかどうかを決定して達成される。
【００１０】
（発明の詳細な説明）
ページャ、個人デジタル援助（ＰＤＡ）等の非常に多くの移動通信装置、すなわち端末に応用できるが、本発明は、セルラ電話機で使用するのに特に適している。
【００１１】
図１は、本発明に従って作られた移動端末１０のブロック図である。移動端末１０は、制御論理１２、メモリ１４、トランシーバ部１６、ベースバンド処理部１８、一対のダイバーシチ・アンテナ２０，２２およびスイッチング・ユニット３０を含んでいる。制御論理１２は、メモリ１４に格納されたプログラムに従って移動端末１０の動作を制御する。制御論理１２は、単一の専用プロセッサを含むことができ、あるいは、各々が異なる制御機能を実施する多数のプロセッサを含むことができる。メモリ１４は、通常、移動端末１０に存在するメモリの階層を表わす。メモリ１４は、移動端末１０の動作を制御するために移動端末１０により使用されるオペレーティング・システム・プログラムおよびデータを格納する。メモリ１４は、アプリケーション・プログラムおよびユーザ・データも格納することができる。
【００１２】
トランシーバ部１６は、第１の受信機２４、第２の受信機２６および送信機２８を含んでいる。受信機２４，２６は、スイッチング・ユニット３０を介して各アンテナ２０，２２に接続される。受信機２４，２６は、単一受信機モードで互い独立して動作することができ、あるいは、二重受信機ダイバーシチ・モードで一緒に動作することができる。受信機２４，２６は、アンテナ２０，２２を介して制御チャネル上の信号を表わす電磁波を受信する。受信機２４，２６は、受信した電磁波を処理して従来の方法で信号を抽出する。二重受信機ダイバーシチ・モードにおいて、受信機２４，２６は、受信した電磁波を同時に処理して各受信機２４，２６により同じ信号が別々に抽出されるように冗長方法で信号を抽出する。当業者ならば、信号は、音声またはデータ情報等の任意所望の情報を含むことができることが理解される。送信機２８は、アンテナ２０に接続されて従来の方法で動作する。
【００１３】
ベースバンド部１８は、送信機２８により送信される信号を処理し、かつ受信機２４，２６により受信される信号を処理する。また、ベースバンド部１８は、移動端末１０により実施される任意のダイバーシチ結合も行う。従来技術とは対照的に、ベースバンド部１８は、多様なダイバーシチ結合技術を使用するようにプログラムされ、できるだけ少量の消費電力でアクセス可能な信号品質を保証する必要性に応じて異なるダイバーシチ技術間で切替えることができる。
【００１４】
スイッチング・ユニット３０は、受信機２４，２６をアンテナ２０，２２にそれぞれ接続する。スイッチング・ユニット３０は、一対のスイッチ３２，３４を含んでいる。制御論理１２は、スイッチ３２，３４および受信機２４，２６を選択的に起動させて後述するように所望の動作モードを選択する。一般的に、制御論理１２は、最も消費電力の少ない動作モードを選択し最小受信品質標準を保証する。
【００１５】
２台の受信機を結合して、より良い受信を提供することができる技術が現在いくつかある。これらは全て大体ダイバーシチ結合技術と呼ばれ、同一利得結合（ＥＧＣ）、最大比結合（ＭＲＣ）、干渉拒絶結合（ＩＲＣ）等が含まれる。ＭＲＣは、ＥＧＣよりも多くの計算を含み、したがって、より多くの電力を消費する。ＩＲＣは、ＭＲＣ技術を改善したものである。受信品質は、より良好なものとなるが、ＩＲＣは、ＭＲＣよりも多くの電力を消費する。ＩＲＣを使用する移動端末は、米国特許第５，６８０，４１９号に記載されており、本開示の一部として、ここに組み入れられている。
【００１６】
現在、移動端末は１つのダイバーシチ結合技術を使用するようにしかプログラムされておらず、電力を保持するために必要に応じて、または所望により切り替えることはできない。本発明では、移動端末１０は、必要に応じて単一受信機ダイバーシチモードと二重受信機ダイバーシチ・モード間で切り替えることができる。さらに、二重受信機ダイバーシチ・モードでは移動端末１０は、受信信号の品質に応じて多様な異なるダイバーシチ結合技術間で選択を行うことができる。受信機２４，２６は、電磁波の信号品質を測定して電磁波、したがって、各受信機２４，２６により受信される信号の信号品質を表わす各信号品質指標を発生するように構成される。
【００１７】
制御論理１２により選択される特定の動作モードは、信号品質測定値に基づいている。適切な信号品質測定値は、キャリア対干渉比（Ｃ/Ｉ）、ビットエラー比（ＢＥＲ）、フレーム消去レート（ＦＥＲ）、受信信号強度表示器（ＲＳＳＩ）、その他、類似の性能評価尺度またはこれらの要因の組合せを含んでいる。予め定められた判断規準に基づいて、制御論理１２は、単一受信機モードまたは二重受信機ダイバーシチ・モードのいずれかを選択する。本質的に、受信機２４，２６のいずれか一方を使用して所望の信号品質規準が満たされる場合には、移動端末１０は、単一受信機モードを選択する。いずれの受信機２４，２６も所望の信号品質を提供しない場合には、二重受信機ダイバーシチモードが選択される。二重受信機ダイバーシチ・モードにおいて、制御論理１２は、多様な異なるダイバーシチ結合技術間で選択を行うことができる。最初に、移動端末１０は、最小消費電力の観点からダイバーシチ技術を選択する。呼出し中に、移動端末１０は、信号品質を監視し続け消費電力を最小限に抑えるために動作モードを変えたり、使用されるダイバーシチ技術を変えることができる。
【００１８】
動作モードまたはダイバーシチ技術を変えるプロセスは、図２に状態図で示されている。図２において、円は、異なる動作モードを表わす。参照文字Ｓで表わされる最小消費電力モードは、単一受信機モードである。参照文字Ｉで表わされる最善品質が得られる最大消費モードは、ＩＲＣを使用するダイバーシチ結合モードである。参照文字Ｄで表わされる中間状態は、ＥＧＣまたはＭＲＣを使用するダイバーシチ結合モードである。
【００１９】
動作において、呼に活動的に関わらない場合に移動端末１０は、スリープ・モード、すなわち、スタンバイ・モードに入る。スリープ・モードにおいて、両方の受信機２４，２６は、給電が停止される。移動端末１０は、周期的に目覚めて制御チャネルを監視しページングされているか又は他のタスクを実施する必要があるかどうかを確認する。後述するように、移動端末１０は、目覚めると、一方または両方の受信機２４，２６をターン・オンする。移動端末１０は、最後に使用された動作モードを最初に選択して制御チャネルの処理を開始する。次に、移動端末１０は、受信信号の測定値に基づいて異なる動作モードが必要であるかどうかを確認する。一般的に、移動端末１０は、受信信号品質が不満足なものであれば、より電力を消費するモードに移り，予め定められた最小信号品質標準が満たされるならば、より消費電力の少ないモードに移って、可能であれば、電力を保持する。大部分の時間、移動端末１０は、制御チャネルを処理して着信呼または実施すべき他のタスクがないことを発見しスリープ・モードに戻る。しかしながら、時折、着信呼または実施すべき他のタスクがあることがある。移動端末１０は、制御チャネルを処理するのに必要とした動作モードを使用して呼を受信する。呼の終りに、移動端末１０は、最後に使用した設定を格納してスリープ・モードに戻る。特に、移動端末により最後に使用されたモードを示すフラグ・モードがメモリ１４に設定される（例えば、二重受信機ダイバーシチ対単一受信機）。また、受信機２４，２６のいずれが一次受信機として指示されるかを示す一次受信機フラグもメモリ１４に設定される。
【００２０】
図３は、移動端末１０の動作を示すフロー図である。移動端末１０は、最初にスリープ・モードであると仮定すること、すなわち、両方の受信機２４，２６が非活性化されていることを意味する。スリープ・モード中に、移動端末１０は、目を覚ます時間であるかどうかを周期的にチェックして確認する（ブロック１０５）。そうでなければ、移動端末１０は、スリープ・モードにとどまる。内部タイマが目を覚ます時間であること表示することができる。目を覚ます時間であれば、移動端末１０は、一方または両方の受信機２４，２６を活性化させて制御チャネルを受信する。初期動作モードは、メモリ１４のモード・フラグにより表示される最終使用モードである。制御チャネル受信中に、移動端末１０は、制御チャネルの受信信号に基づいて動作モードを選択する（ブロック１１０）。可能な動作モードには単一受信機モードおよび二重受信機ダイバーシチ・モードが含まれる。
【００２１】
単一受信機モードでは、移動端末１０は、その２台の受信機２４，２６のいずれかで信号を受信することができる。二重受信機ダイバーシチ・モードでは、移動端末１０は、好ましくはＥＧＣ，ＭＲＣおよびＩＲＣ等の２つ以上のダイバーシチ結合技術の選択を有する。初期動作モードは、単一受信機モードまたは二重受信機ダイバーシチ・モードのいずれかであり、最小消費電力技術が好ましい。
【００２２】
大部分の時間、移動端末１０は、選択された動作モードを使用して制御チャネルを処理し、着信呼がない（ブロック１１５）または実施すべき他のタスクがないことを発見して、スリープにもどる。この場合、移動端末１０は、最後に使用した動作モードをメモリに格納してスリープ・モードに戻る（ブロック１２５）。また、移動端末１０は、一次受信機フラグを設定することにより、どの受信機２４，２６が一次受信機として指示されるを示す。しかしながら、時折、着信呼または近隣リスト走査等の実施すべき他のタスクがあることがある。そうであれば、移動端末１０は、制御チャネルが受信されていた間に選択された動作モードを使用して呼を受信開始する（ブロック１２０）。呼の終りに、移動端末１０は、最後に使用した設定を格納してスリープ・モードに戻る（ブロック１２５）。
【００２３】
呼出し中に、移動端末１０は、受信信号品質を連続的に監視し受信信号の測定値に基づいて異なる動作モードが必要であるかどうかを決定することができる。一般的に、信号品質が満足できないものであると確認される場合には、移動端末１０は、より電力を消費する動作モードに移ることができる。受信信号品質が満足できるものであることが確認され、電力を保持する消費電力の少ないモードが可能であれば、移動端末１０は、予め定められた最小信号品質標準が新しいモードで満たされる場合に消費電力の少ない動作モードに切り替えることができる。
【００２４】
図４および図５は、動作モードを選択する典型的な手順を示す。図４および図５に示す手順は、図３のブロック１１０に対応する。移動端末１０は、目を覚ますと、メモリ１４のモード・フラグをチェックして前の目覚しサイクルにおいて両方の受信信号２４，２６が必要であったかどうかを調べる（ブロック２０５）。移動端末１０が初めてパワーアップされる場合には、単一受信機モードを示すモード・フラグが設定され、第１の受信機２４が一次受信機として設定される。最後の目覚しサイクルにおいて1台の受信機しか使用されなかった場合には、移動端末１０は、一次受信機を目覚めさせて制御チャネルを受信する（ブロック２１０）。一次受信機は、メモリ１４の一次受信機フラグにより表示される第１の受信機２４または第２の受信機２６とすることができる。制御チャネルを受信する間に、移動端末１０は、一次受信機の性能だけが所望の受信品質を保証するのに適切であるかどうかをチェックして調べる（ブロック２１５）。性能が受け入れられる場合には、移動端末１０は、単一受信機モードにとどまり、一次受信機は、制御チャネルを受信するのに使用される（ブロック２３５）。制御情報は、従来どおり単一受信機モードで処理される（ブロック２４０）。同様に、第１の受信機２４または第２の受信機２６とすることができる二次受信機は、スリープ・モードのままとされ、すなわち、ターン・オフされる。
【００２５】
現在指定されている一次受信機に対する信号品質が不十分であれば（ブロック２１５）、移動端末１０は、二次受信機を目覚めさせて（すなわち、ターン・オンして）両方の受信機により制御チャネルを受信する（ブロック２２０）。制御チャネルの受信中に、移動端末１０は、二次受信機の性能だけが所望の受信品質を提供するのに適切なものであるかどうかを確認する（ブロック２２５）。二次受信機が所望の信号品質を提供することができる場合には、移動端末１０は、一次受信機を非活性化し、前の二次受信機が新しい一次受信機として指示される（ブロック２３０）。元の一次受信機（現在スリープ）は、二次受信機として指示される。一次受信機フラグがメモリ１４に設定されて指示の反転を表示する。指示を切り替えた後で、制御チャネルは、新しい一次受信機により受信され（ブロック２３５）制御チャネルは、一方の受信機により移動端末に対して従来のように処理される（ブロック２４）。二次受信機がそれ自身では所望の信号品質を提供できない場合には、移動端末１０は、制御チャネルを両方の受信機により受信して二重受信機ダイバーシチ・モードに切り替わる（ブロック２４５）。受信信号は、次に、ダイバーシチ結合技術を使用して処理される（ブロック２４０）。
【００２６】
図５に戻って、移動端末が目を覚ます時に最後に使用したモードが二重受信機ダイバーシチ・モードであれば、移動端末１０は、最初に両方の受信機を目覚めさせ（ブロック２５０）、制御チャネルを両方の受信機で受信する（ブロック２５５）。制御チャネルを両方の受信機で受信している間に、移動端末１０は、受信機２４，２６いずれが適切であるかどうかを確認する（ブロック２６０，２７０）。好ましくは、移動端末１０は、一次受信機を最初にチェックする（ブロック２６０）。一次受信機だけが十分である場合には、移動端末１０は、二次受信機を非活性化して二重受信機ダイバーシチ・モードは必要でないことを示すようにモード・フラグを変える（ブロック２６５）。次に、制御チャネルは、一次受信機だけを使用して従来のように受信され処理される（図４のブロック２３５，２４０）。
【００２７】
一次受信機が適切な信号品質を提供しない場合には、移動端末１０は、二次受信機だけが適切であるかどうかを確認する（ブロック２７０）。そうでなければ、移動端末１０は、両方の受信機２４，２６を使用してダイバーシチ・モードで呼を受信し続ける（図４のブロック２４５）。好ましい実施例では、制御チャネルは、ＭＲＣ技術を使用して処理されるが、ＩＲＣ等の他のダイバーシチ結合技術を使用することもできる。
【００２８】
二次受信機が所望の信号品質を提供するのに十分であれば、一次受信機は、非活性化され、移動端末１０は、メモリ１４の一次受信機フラグを変える（ブロック２７５）。元の二次受信機は、新しい一次受信機となり、元の一次受信機（現在、既に眠っている）は、新しい二次受信機となる。移動端末１０は、適切な受信機２４，２６が一次受信機に指示されるように一次受信機フラグを設定する。また、移動端末１０は、両方の受信機が必要でないことを示すようにモード・フラグを変える。次に、移動端末１０は、新しい一次受信機により制御チャネルを従来のように受信し（ブロック２３５、図４）、単一受信機モードで制御チャネルを処理する（ブロック２４０、図４）。
【００２９】
本発明の第２の実施例が図６に示されている。移動端末１０が最後に必要とされた受信機を目覚めさせる図４および図５の方法とは対照的に、第２の実施例は、両方の受信機を慣例的に目覚めさせ、可能であれば一方を非活性化する。これにより制御チャネルがうまく処理される尤度は改善されるが、初期消費電力が大きくなるという犠牲を伴う。特に、移動端末１０は、目を覚ます時間であるかどうかを確認する（ブロック３０５）。そうでなければ、移動端末は、目を覚ます時間となるまで周期的にチェックする。これは内部タイマを使用して達成することができる。目を覚ます時間になると、移動端末１０は、両方の受信機を活性化させ、前記したダイバーシチ結合技術の１つを使用して制御チャネルを受信開始する（ブロック３１０）。両方の受信機で受信している間に、移動端末１０は、一方の受信機だけが適切であるかどうかを同時にテストしている。特に、移動端末１０は、最初に一次受信機だけが適切であるかどうかをチェックする（ブロック３１５）。そうであれば、移動端末１０は、二次受信機を非活性化してモードフラグを変える（ブロック３２０）。次に、移動端末１０は、一次受信機だけで制御チャネルを受信する（ブロック３２５）。制御情報は、従来のように処理され（ブロック３４５）、移動端末１０は、処理完了後スリープに戻る（ブロック３５０）。
【００３０】
一次受信機がそれ自体不適切である場合には、移動端末１０は、二次受信機だけの性能が適切であるかどうかを確認する（ブロック３３０）。そうであれば、移動端末１０は、一次受信機を眠らせる（ブロック３３５）。次に、移動端末１０は、一次受信機および二次受信機の指示を反転させ、どの受信機が一次受信機であるかを表示するように一次受信機フラグを設定する。新しい一次受信機は、制御チャネルを受信し続け（ブロック３２５）、情報を従来のように処理する（ブロック３４５）。処理完了後、移動端末１０は、スリープに戻り（ブロック３５０）、プロセスを再開する。
【００３１】
いずれの受信機２４，２６自体も適切でなければ、移動端末１０は、両方の受信機で二重受信機ダイバーシチ・モードで制御チャネルを受信し続ける（ブロック３４０）。制御チャネルが処理された後で（ブロック３４５）、移動端末１０は、スリープ・モードに戻る（ブロック３５０）。
【００３２】
前記したように、呼が受信される時に移動端末１０は、呼を受信しながら両方の受信機２４，２６の性能を監視し続けることができる。特に、二重受信機ダイバーシチ・モードで動作している間に、移動端末１０は、受信信号を連続的に監視して単一受信機モードが受け入れられるかどうかを確認する。受け入れられる場合には、移動端末１０は、二重受信機ダイバーシチ・モードから単一受信機モードに切り替わる。この監視手順は、図７に示されている。移動端末１０は、最初に二重受信機ダイバーシチ・モードで受信しているものと仮定する（ブロック４００）。一次および二次受信機の性能は、周期的にチェックされる（ブロック４１０，４２５）。最初に、一次受信機だけが適切であるかどうかを調べるために一次受信機だけの性能がチェックされる（ブロック４１０）。そうであれば、次に、二次受信機はスリープ・モードとされ（ブロック４１５）、受信は、一次受信機だけを使用して続けられる（ブロック４２０）。そうでなければ、二次受信機の性能が適切であるかどうかを調べるためにチェックされる（ブロック４２５）。そうであれば、一次受信機は、スリープ・モードとされ（ブロック４３０）、受信は、二次受信機で続けられる（ブロック４３５）。前記したように、指示が反転され再びスリープ・モードに入るまで、受信は、続けられる。いずれかの受信機２４，２６が十分であれば、ＭＲＣまたはＥＧＣ等の単純なダイバーシチ結合技術を使用して受信が続けられる（ブロック４４０）。しかしながら、前記したシステムとは対照的に、２台受信機受信の性能が評価される（ブロック４４５）。性能が適切であれば、プロセスは、循環し、受信を改善する希望で前記したように電力を保持するために一方の受信機を眠らせようとし続ける。しかしながら、性能が適切でなければ、制御機能は、ＩＲＣ等のより電力を消費するダイバーシチ技術に増して（ブロック４６０）、着信信号を処理する。ＩＲＣ技術には計算の増加が伴いバッテリの消費が早くなるため、ＩＲＣへの切替えは、性能を改善するための最後に用いる動作である。性能が適切であれば、移動端末１０は、より消費電力の少ないダイバーシチ技術を使用できるかどうかを確認することもできる（ブロック４５５）。そうであれば、移動端末１０は、ダイバーシチ技術を減ずる（ブロック４５５）。
【００３３】
前記したプロセスは、一方の受信機を非活性化するか、あるいはＥＧＣまたはＭＲＣへ復帰することにより、消費電力のより少ない技術へ減ずる機会を捜しながら連続的に繰り返される。さらに、変化するパス干渉への適応性が低くなるが、ＥＧＣは、ＭＲＣよりも消費電力が少ないものと信じられ、粗さの低い性能となる。したがって、最初にＥＧＣをダイバーシチ結合技術として使用し、性能が不適切であることを発見したら、処理技術をＭＲＣへ増すことも本発明の範囲内である。ＭＲＣが不適切であることが確認されたら、ＩＲＣが実行される。
【００３４】
もちろん、本発明は、その本質的特性から逸脱することなく、ここに記載されたもの以外の他の特定の方法で実施することができる。したがって、本実施例は、あらゆる面において説明用であって制約的意味合いは無く、特許請求の範囲の意味および等価範囲内に入る変更は、全て包含されるものとする。
【図面の簡単な説明】
【図１】  本発明に従った移動端末のブロック図である。
【図２】  図１の移動端末のさまざまな動作モードを示す状態図である。
【図３】  図１の移動端末の動作を示すフロー図である。
【図４】  図１の移動端末に対する動作モードを選択する手順を示すフロー図である。
【図５】  図１の移動端末に対する動作モードを選択する手順を示すフロー図である。
【図６】  図１の移動端末に対する動作モードを選択する別の手順のフロー図である。
【図７】  呼進行中および動作モード変更中の図１の移動端末の性能を監視する手順を示すフロー図である。
【図１】
0004620316.tif 000002
【図２】
0004620316.tif 000003
【図３】
0004620316.tif 000004
【図４】
0004620316.tif 000005
【図５】
0004620316.tif 000006
【図６】
0004620316.tif 000007
【図７】
0004620316.tif 000008